(57)【要約】【課題】入球口に流入した球を所定位置まで円滑に移送して球噛みの発生を防止することができる入球装置を備えた遊技機を提供する。【解決手段】入球口８０に流入した球Ｂを所定位置まで導く球誘導路９０と、その球誘導路９０に沿って球Ｂを移送する回転体１１０と、を有する入球装置７０を備える。回転体１１０には、その外周面の一端から他端部に向けて螺旋状をなしかつ球誘導路９０の一端から他端を越える位置まで球Ｂを移送する球送り溝１１２が形成される。球送り溝１１２の他端部近傍には、球誘導路９０の他端を越えた球Ｂを放出する球放出部１００が形成されている。【選択図】　　　　図１
2004135703.tif 000002
【特許請求の範囲】
【請求項１】
入球口に流入した球を所定位置まで導く球誘導路と、その球誘導路に沿って球を移送する回転体と、を有する入球装置を備えた遊技機であって、
前記回転体には、その外周面の一端から他端部に向けて螺旋状をなしかつ前記球誘導路の一端から他端を越える位置まで球を移送する球送り溝が形成され、
前記球送り溝の他端部近傍には、前記球誘導路の他端を越えた球を放出する球放出部が形成されている遊技機。
【請求項２】
請求項１に記載の遊技機であって、
球誘導路の通路幅寸法、及び球送り溝の溝幅寸法は、球１個分に相当する大きさで球が通過可能に形成され、
球放出部には球が通過可能な放出口が形成され、その放出口から放出された球を検出する球検出器が配設されている遊技機。
【発明の詳細な説明】
【０００１】
【発明の属する技術分野】
この発明は、球（パチンコ球）を用いて遊技を行う遊技機、例えば、パチンコ機等の弾球遊技機とも呼ばれている遊技機に関する。
【０００２】
【従来の技術】
従来、入球口に流入した球を受けその球を所定位置まで移送する球受け部を外周面に形成された回転体を有する入球装置を備えた遊技機が知られている。
また、このような入球装置としては、例えば、第３種パチンコ機における第３種始動装置として用いられている。
すなわち、第３種始動装置として用いられる入球装置においては、遊技盤の所定位置に配設された回転体ケースに対し、円盤状の回転体が前後方向の軸線回りに回転可能に設けられ、その回転体の外周面には、球を受けて保持する球受け部が形成されている。そして、入球口に流入した球を球受け部で受けて保持した状態で、その球を回転体の回転動作によって同回転体の回転方向に移送して放出口で放出するようになっている。
また、従来、上下方向の円筒体の外周面に、その上端から下端に向けて螺旋状をなす螺旋片が形成され、その螺旋片によって螺旋通路が形成され、かつその螺旋通路に沿って球を螺旋回転させる構造の入球装置が知られている（例えば、特許文献１参照）。
【０００３】
【特許文献１】
特開平７−１３６３２３号公報（第２−３頁、図１−７）
【０００４】
【発明が解決しようとする課題】
ところで、外周面に球を受けて保持する球受け部が形成された円盤状の回転体が前後方向の軸線回りに回転可能に回転体ケース内に設けられた従来の入球装置においては、その回転体の球受け部で受けた球を同回転体の回転方向に移送する際、入球口の近傍において、回転体と、回転体ケースとの間に球が噛み込む不具合が発生する場合があった。
【０００５】
この発明の目的は、前記従来の問題点に鑑み、入球口に流入した球を所定位置まで円滑に移送して球噛みの発生を防止することができる入球装置を備えた遊技機を提供することである。
【０００６】
【課題を解決するための手段】
前記目的を達成するために、請求項１の発明に係る遊技機は、入球口に流入した球を所定位置まで導く球誘導路と、その球誘導路に沿って球を移送する回転体と、を有する入球装置を備えた遊技機であって、前記回転体には、その外周面の一端から他端部に向けて螺旋状をなしかつ前記球誘導路の一端から他端を越える位置まで球を移送する球送り溝が形成される。前記球送り溝の他端部近傍には、前記球誘導路の他端を越えた球を放出する球放出部が形成されている。
したがって、入球口から球誘導路の一端部に流入した球は、回転体の螺旋状の球送り溝の球送り作用によって球誘導路の一端部から他端に向けて直線状に移送されてその球誘導路の他端を越えて球放出部に放出される。すなわち、回転体の回転運動が螺旋状の球送り溝と球誘導路によって直線運動に変換されて球に伝達される。このため、球誘導路に沿って球を円滑に移送することができ、球噛みによる不具合を防止することができる。
【０００７】
請求項２の発明に係る遊技機は、請求項１に記載の遊技機であって、球誘導路の通路幅寸法、及び球送り溝の溝幅寸法は、球１個分に相当する大きさで球が通過可能に形成される。球放出部には球が通過可能な放出口が形成され、その放出口から放出された球を検出する球検出器が配設されている。
したがって、入球口から球誘導路の一端部に流入した球を１個ずつ球誘導路の一端部から他端を越えて移送し、かつ球放出部に放出することが可能となる。
そして、球放出部の放出口から球を１個ずつ放出させて球検出器によって正確に検出することができる。このため、複数個の球が略同時期に球放出部に放出されたり、あるいは複数の球が連続（接近）して球放出部の放出口から放出されることを防止することができる。
このように球放出部の放出口から球を１個ずつ放出させて球検出器によって正確に検出することができるため、球を連続的に入賞（検出）させたくない入球装置、例えば、第３種始動装置を備えた第３種パチンコに好適に採用することができる。
【０００８】
【発明の実施の形態】
この発明の実施の形態を図面にしたがって説明する。
遊技機としてのパチンコ機、例えば、権利ものとも呼ばれている第３種パチンコ機の遊技盤を正面（前面）で表した図６において、遊技盤１０の前面の周縁部には、外レール１２と内レール１３とを備えた案内レール１１が装着されている。
この案内レール１１の内側には、遊技領域１５が区画形成されるとともに、外レール１２と内レール１３との間には、図示しない球発射装置から発射された球（パチンコ球）を遊技領域１５の上部に案内する球発射通路１４が形成されている。
遊技盤１０の遊技領域１５には、その略中央部に位置して電動式普通役物装置２１と権利発生装置３０（センタ役物装置とも呼ばれることもある。）とが上下に隣接してそれぞれ装着されている。さらに、遊技盤１０の遊技領域１５の所定位置には、一般入賞器２０や球Ｂを所定方向に誘導したり、あるいは球Ｂの流れを変化させる多数の釘、風車器２５等が適宜に配設されている。
【０００９】
図７に示すように、電動式普通役物装置２１には、可変入球口を大小に変化させる一対の開閉部材２２が組み付けられている。これら一対の開閉部材２２は、モータ、ソレノイド等の電動アクチュエータを駆動源とし開閉動作されるようになっている。
また、図６に示すように、権利発生装置３０には、その略中央部において、図柄表示装置５０が装着されている。この図柄表示装置５０の表示部５１（この実施の形態で７セグメントの表示部）には、次に述べる第１選別路３７の球検出器３８によって球Ｂを検出したときに、抽選図柄が変動表示されるようになっている。
権利発生装置３０の上部には、電動式普通役物装置２１の可変入球口に流入した球Ｂを垂下状に誘導する誘導路３３が設けられ、その誘導路３３の下流（下端）に分岐部において分岐する第１選別路３７と第１排出路３６とがそれぞれ設けられている。これら第１選別路３７と第１排出路３６の分岐部には切換部材３４が軸３５を中心として回動可能に配設されている。
【００１０】
切換部材３４は、ソレノイド等の電動アクチュエータを駆動源とし第１位置と第２位置とに配置切換される。そして、切換部材３４は、通常時においては、図の実線に示す第１位置に配置され、この状態で第１選別路３７を開くとともに第１排出路３６を閉じる。また、切換部材３４は、第１選別路３７の球検出器３８の検出信号に基づいて第２位置に配置され、その後、特定領域４７の球検出器５５あるいは非特定領域４８の球検出器５６の検出信号に基づいて元の第１位置に戻されるようになっている。そして、図７の２点鎖線に示すように、切換部材３４が第２位置に配置されたときには、第１選別路３７を閉じるとともに第１排出路３６を開くようになっている。
また、この実施の形態において、第１選別路３７と第１排出路３６とは、同一中心の円弧状をなすとともに、第１選別路３７は、図７に向かって反時計回り方向に略１８０度の円弧をなして延びている。そして、この第１選別路３７の途上には、その第１選別路３７を流れる球Ｂを検出する球検出器３８が配設されている。一方、第１排出路３６は、図７に向かって時計回り方向に僅かな円弧をなし、その第１排出路３６の出口は遊技盤１０の後側に設けられた裏集合樋（図示しない）に連通するようになっている。
【００１１】
図に示すように、権利発生装置３０の下部には、第１選別路３７を、その下流の分岐部において分岐する第２排出路４２と第２選別路４３とがそれぞれ設けられている。これら第２排出路４２と第２選別路４３との分岐部には、可動誘導体４０が軸４１を中心として回動可能に設けられている。
この可動誘導体４０は、ソレノイド等の電動アクチュエータを駆動源とし、かつ誘導位置と退避位置とに配置切換される。そして、可動誘導体４０は、通常時においては、図の２点鎖線に示すように、分岐部の片側に退避する退避位置に配置される。
また、可動誘導体４０は、球検出器の検出信号に基づいて、図７の実線に示すように、誘導位置に配置切換された後、２〜３秒経過すると元の退避位置に配置切換されるようになっている。そして、誘導位置に配置された可動誘導体４０によって、第１選別路３７を流れる球Ｂを第２選別路４３に誘導し、退避位置に配置切換されることで、球Ｂが第２排出路４２に流れるようになっている。
【００１２】
すなわち、この実施の形態において、第２排出路４２は、第１選別路３７の下流端に分岐部を介して略連続状に設けられ、その第２排出路４２の出口は遊技盤１０の後側に設けられた裏集合樋（図示しない）に連通するようになっている。一方、第２選別路４３は、第１選別路３７の下流端に分岐部を介して略垂下状に設けられている。そして、可動誘導体４０が図７の実線に示すように、誘導位置に配置されたときには、その可動誘導体４０は、第１選別路３７の通路延長方向に対し略直交する姿勢をなし、これによって、球Ｂを第２選別路４３に導くようになっている。
また、可動誘導体４０が図７の２点鎖線に示す退避位置に配置されたときには、第１選別路３７の下流端に分岐部を介して第２排出路４２が連通するため、第１選別路３７を流れる球Ｂは、第２選別路４３を飛び越えて第２排出路４２に流れるようになっている。
【００１３】
図に示すように、第２選別路４３の直下には、その第２選別路４３に連通する開口部を有する回転体収納室が設けられている。この回転体収納室には、モータ等の電動アクチュエータを駆動源とし、かつ円盤状の回転体よりなる可動振分体４５が正逆回転可能に設けられている。この可動振分体４５の外周面には、第２選別路４３の直下に臨んで１つの球Ｂを受ける球受け部４６が形成されている。また、回転体収納室には、その下部において特定領域４７が連通して開口し、横部において非特定領域４８が連通して開口している。そして、可動振分体４５の球受け部４６に落下した球Ｂは、同可動振分体４５が一方向（図７に向かって反時計回り方向）に回転動作することによって特定領域４７に導かれ、反対方向（図７に向かって時計回り方向）に回転動作することによって非特定領域４８に導かれるようになっている。
また、特定領域４７には、その特定領域４７を流れる球Ｂを検出する球検出器５５が設けられ、また、非特定領域４８には、その非特定領域４８を流れる球Ｂを検出する球検出器５６が設けられている。
【００１４】
図６に示すように、遊技盤１０の遊技領域１５には、権利発生装置３０の片側下部（図６に向かって左側下部）に位置して普通始動口を有する普通役物作動器２６が装着されている。この普通役物作動器２６には、その入球口に流入した球Ｂを検出する球検出器が設けられている。この球検出器の検出信号に基づいて電動式普通役物装置２１の一対の開閉部材２２を所定時間（例えば、０．５秒）開放した後、元の状態に閉じるようになっている。
【００１５】
また、遊技盤１０の遊技領域１５には、その権利発生装置３０の他側（図６に向かって右側）に位置して第３種始動装置７０（この発明の入球装置に相当する）が装着されるとともに、その第３種始動装置７０の直下に位置して大入賞口６２とその大入賞口６２を開閉する開閉扉６１を備えた大入賞口装置６０が装着されている。
また、遊技盤１０の遊技領域１５には、その遊技領域１５の図６に向かって右側上部に打ち出された球Ｂのうち、多くの球Ｂを大入賞口装置６０の大入賞口６２に導くとともに、その球Ｂのうち、一部の球Ｂを第３種始動装置７０の入球室７３の開口部７６に導く複数の誘導釘等よりなる誘導手段が構成されている。
また、遊技盤１０の遊技領域１５には、権利発生装置３０の下方でその遊技領域１５の最下端に位置してアウト口６５が形成されている。
【００１６】
図１に示すように、第３種始動装置７０の本体部を構成する本体構成部材７１は、前装飾部材７２と後構成部材７５との２部品を主体として構成されている。そして、第３種始動装置７０は、その前装飾部材７２が遊技盤１０の前側からビス等によって装着され、後構成部材７５が遊技盤１０の後側からビス等によって装着されている。前装飾部材７２には、遊技領域１５を流れる球Ｂが流入可能に遊技盤１０の前方に突出し、かつ上方に開口する入球口８０が、次に述べる左右の両側壁部８２の前側部分と、前カバー板８７の透視部８８と、仕切り壁８３によって形成されている。
【００１７】
前装飾部材７２と後構成部材７５の少なくとも一方には、入球口８０に流入した球Ｂを後方の所定位置まで導く前後方向の球誘導路９０の通路壁を構成するための左右の両側壁部８２が形成されている。さらに、前装飾部材７２と後構成部材７５の少なくとも一方には、左右の両側壁部８２の下端部の間に開口部を有し、かつ球誘導路９０の下方に連通する回転体収納室８５の周壁部をなすケース部８６が形成されている。
【００１８】
また、左右の両側壁部８２及びケース部８６の前側には、球誘導路９０及び回転体収納室８５の前側を塞ぐようにして前カバー板８７が設けられ、その前カバー板８７の上部には、入球口８０（球保留部８１）の球Ｂを前方から透視可能な透明な合成樹脂よりなる透視部８８が設けられている。
また、左右の両側壁部８２の間の略中間位置には、前カバー板８７の透視部８８と球Ｂ一個分に相当する間隔を隔てかつ入球口８０に流入した球Ｂをその位置で保留するための仕切り壁８３が形成されている。そして、入球口８０は、その左右の両側壁部８２、前カバー板８７の透視部８８及び仕切り壁８３によって四方が囲まれ、その入球口８０の底部が次に述べる回転体１１０の上部外周面によって構成されることによって球Ｂが保留可能となっており、当該入球口８０を球保留部８１としている。
また、この実施の形態において、入球口８０の入口寸法及び球誘導路９０の通路幅寸法（すなわち、左右の両側壁部８２の対向面の間隔寸法）は、球Ｂ１個分に相当する大きさで球Ｂが通過可能に形成されている。
【００１９】
また、後構成部材７５には、後端部が後カバー板１０１によって塞がれた囲い壁１０２が形成され、その囲い壁１０２の内部には球放出部としての放出空間１００が形成されている。そして、囲い壁１０２の底板部１０３は適宜に傾斜され、その下傾端部近傍には球Ｂ１個分に相当する大きさで球Ｂが通過可能な放出口１０５が形成されている。そして放出口１０５の近傍には球Ｂの通過を検出する球検出器１０６が設けられている。
【００２０】
図１に示すように、回転体収納室８５には、入球口８０に流入した球Ｂを球誘導路９０に沿って移送する円柱状の回転体１１０がその中心軸線（前後方向の軸線）回りに回転可能に収納されている。
この実施の形態において、回転体１１０の前端面中心部には、前カバー板８７に回転可能に支持された状態で軸１１１が突出される一方、回転体１１０の後端面中心部には、後カバー板１０１の後側に装着されたモータ１２０の出力軸１２１（または出力軸によって駆動される駆動軸）にトルク伝達可能に連結されている。そして、回転体１１０はモータ１２０を駆動源として所定方向に連続回転されるようになっている。
【００２１】
回転体１１０には、その外周面の前端から後端部に向けて螺旋状をなしかつ球誘導路９０の前端から後端を越える位置まで球を移送する球送り溝１１２が形成されている。
また、図４に示すように、球誘導路９０の後端を越えて球送り溝１１２の後端部近傍まで移送された球Ｂは、球放出部としての放出空間１００に放出されるようになっている。この実施の形態において、回転体１１０の球送り溝１１２の溝幅寸法は、球１個分に相当する大きさで球Ｂが通過可能に形成されている。
【００２２】
この実施の形態に係る遊技機としてのパチンコ機は上述したように構成される。したがって、パチンコ遊技の際、図示しない球発射装置から球発射通路１４に発射された球Ｂ（パチンコ球）は、遊技領域１５の上部に打ち出され、多数の釘や風車器２５等に当たって遊技領域１５の下部に向けて流れる。
遊技領域１５に打ち出された球Ｂのうち、一部の球Ｂは一般入賞器２０、普通役物作動器２６、電動式普通役物装置２１等の入球口に流入する。また、これら入球口に流入しなかった球Ｂは遊技領域１５の下部のアウト口６５に流入し、機外に排出される。
【００２３】
普通役物作動器２６の入球口に球Ｂが流入すると、その球Ｂが球検出器（図示しない）によって検出される。すると、球検出器の検出信号が遊技機の所定位置に設置された主制御基板（図示しない）に伝達される。これに基づいて主制御基板から出力される信号が電動式普通役物装置２１に伝達され、これによって、一対の開閉部材２２が所定時間（例えば、０．５秒）開放された後、元の状態に閉じられる。
電動式普通役物装置２１の一対の開閉部材２２が開放時には、その可変入球口に球Ｂが流入し易くなる（図６参照）。
電動式普通役物装置２１の可変入球口に球Ｂが流入すると、その球Ｂは、権利発生装置３０上部の誘導路３３に流れる。この際、切換部材３４は、第１位置に配置されている。このため、誘導路３３の球Ｂは第１選別路３７に流れる。
【００２４】
第１選別路３７を流れる球Ｂは、その第１選別路３７の球検出器３８よって検出され、その検出信号が主制御基板に伝達される。これに基づいて主制御基板から出力される信号が、切換部材３４、可動誘導体４０の各電動アクチュエータ並びに図柄表示装置５０にそれぞれ伝達される。そして、切換部材３４は、図７の２点鎖線に示すように第２位置に配置切換される。また、可動誘導体４０は、図７の実線に示すように誘導位置に配置切換される。これによって、第１選別路３７の球検出器３８を通過した球Ｂは可動誘導体４０に導かれて第２選別路４３に流れ、可動振分体４５の球受け部４６に落下して保持される（図７参照）。
なお、第１選別路３７の球検出器３８よって球Ｂが検出され、可動誘導体４０が誘導位置に配置切換された後、２〜３秒程度経過すると、図７の２点鎖線に示すように可動誘導体４０は、元の退避位置に戻される。
【００２５】
一方、第１選別路３７の球検出器３８よって球Ｂを検出すると、図柄表示装置５０の表示部５１の抽選図柄が変動し、設定時間後停止する。そして、表示部５１には前記主制御基板から出力される信号に基づく抽選図柄が表示される。表示部５１に表示された抽選図柄が「大当たり図柄」、例えば「１・１」、「３・３」、「５・５」、「７・７」となって停止した場合、可動振分体４５が図７に向かって反時計回り方向に回転した後、元の位置に戻される。すると、可動振分体４５の球受け部４６の球Ｂが特定領域４７に流れ、その特定領域４７の球検出器５５によって球Ｂが検出されることで、大当たりが確定する。
【００２６】
また、表示部５１に表示された抽選図柄が、前記「大当たり図柄」以外の「外れ図柄」となって停止した場合、可動振分体４５が図７に向かって時計回り方向に回転した後、元の位置に戻される。すると、可動振分体４５の球受け部４６の球Ｂが非特定領域４８に流れ、その非特定領域４８の球検出器５６によって球Ｂが検出される。
なお、特定領域４７の球検出器５５あるいは非特定領域４８の球検出器５６によって球Ｂが検出されると、切換部材３４は、図７の実線に示す元の第１位置に配置切換される。
【００２７】
遊技領域１５を流れる球Ｂが第３種始動装置７０の入球口８０に流入すると、図１に示すように、球Ｂは、回転体１１０の前側寄りの上部外周面上に保持される。すなわち、球保留部８１に保持される。
また、回転体１１０は、遊技機（パチンコ機）の電源スイッチがＯＮされると同時に、一方向に所定速度で連続回転する。
回転体１１０前端部の球送り溝１１２が球保留部８１に達すると、その球保留部８１の球Ｂが回転体１１０前端部の球送り溝１１２に流入する（図２参照）。
【００２８】
引き続く回転体１１０の回転動作による螺旋状の球送り溝１１２の球送り作用によって球Ｂが球誘導路９０の前端から後端に向けて直線状に移送される（図３参照）。
そして、図４に示すように、回転体１１０の球送り溝１１２によって球誘導路９０の後端を越える位置まで移送され、同球送り溝１１２の後端部近傍に達した球Ｂは球放出部としての球放出空間１００に放出される。
その後、球Ｂは球放出空間１００の底板部１０３の傾斜面を流下し、放出口１０５を通過して遊技盤１０の後側に設けられた裏集合樋に流れる。
【００２９】
球放出空間１００の底板部１０３の放出口１０５を通過する球Ｂが球検出器１０６によって検出されると、その検出信号が主制御基板に伝達される。これに基づいて主制御基板から出力される信号が大入賞口装置６０に伝達され、その開閉扉６１によって大入賞口６２が開かれる。大入賞口６２に球Ｂが最大で１０個流入するか、あるいは、１０秒経過すると、開閉扉６１によって大入賞口６２が閉じられ、ここで大当たり遊技の１ラウンドが終了する。
開閉扉６１によって大入賞口６２が一旦閉じられた後、再び、球放出空間１００の底板部１０３の放出口１０５を通過する球Ｂが球検出器１０６によって検出されると、開閉扉６１によって大入賞口６２が開かれる。このように大当たり遊技が最大で１６ラウンド行われて大当たり遊技が終了する。
【００３０】
前記したように、この実施の形態に係る入球装置としての第３種始動装置７０において、入球口８０に流入して回転体１１０の前側寄りの上部外周面上の球保留部８１に保持された球Ｂは、回転体１１０の螺旋状の球送り溝１１２の球送り作用によって球誘導路９０の前端から後端に向けて直線状に、かつ球誘導路９０の後端を越える位置まで移送されて球放出空間１００に放出される。
すなわち、回転体１１０の回転運動が螺旋状の球送り溝１１２と直線状の球誘導路９０の左右の両側壁部８２によって直線運動に変換されて球Ｂに伝達される。このため、球誘導路９０に沿って球Ｂを円滑に移送することができ、球噛みによる不具合を防止することができる。
【００３１】
また、この実施の形態において、入球口８０の入口寸法、球誘導路９０の通路幅寸法（すなわち、左右の両側壁部８２の対向面の間隔寸法）及び回転体１１０の球送り溝１１２溝幅寸法は、球１個分に相当する大きさで球Ｂが通過可能に形成されている。また、球放出部としての球放出空間１００の底板部１０３には球Ｂ１個分に相当する大きさで球Ｂが通過可能な放出口１０５が形成され、その放出口１０５から放出された球Ｂを検出する球検出器１０６が配設されている。
このため、入球口８０から球誘導路９０の前端部に流入した球Ｂを１個ずつ球誘導路９０の前端部から後端を越えて移送し、かつ球放出部としての球放出空間１００に放出することが可能となる。そして、球放出空間１００の底板部１０３の放出口１０５から球Ｂを１個ずつ放出させて球検出器１０６によって正確に検出することができる。さらに、複数個の球Ｂが略同時期に球放出空間１００に放出されたり、あるいは複数の球Ｂが連続（接近）して球放出空間１００の底板部１０３の放出口１０５から放出されることを防止することができる。
【００３２】
このように球放出空間１００の底板部１０３の放出口１０５から球Ｂを１個ずつ放出させて球検出器１０６によって正確に検出することができるため、球Ｂを連続的に入賞（検出）させたくない入球装置としの第３種始動装置７０を備えた第３種パチンコに好適に採用することができる。
【００３３】
また、回転体１１０の外周面に球送り溝１１２が螺旋状に連続して形成されているため、大当たり遊技の際、大入賞口装置６０の開閉扉６１の最大開放時間、例えば、１０秒に対応して、回転体１１０を１０秒間に１回転の速さで連続回転させることで、各ラウンド間の待機時間を可及的に短くする設定をすることが容易となり、効率のよい大当たり遊技を行うことができる。したがって、第３種始動装置７０として極めて有効である。
【００３４】
なお、この発明は前記実施の形態に限定するものではない。
例えば、前記実施の形態においては、入球装置が第３種始動装置７０である場合を例示したが、第２種入賞装置に採用することも可能であり、その他型式の入賞装置、あるいは球を単に通過させるゲート装置、あるいは、球を所定位置まで誘導するバイパス通路装置等の入球装置として用いることも可能である。
【００３５】
【発明の効果】
以上述べたように、この発明によれば、入球口に流入した球を所定位置まで円滑に移送しすることができ、球噛みの発生を良好に防止することができる。
【図面の簡単な説明】
【図１】この発明の実施の形態に係る入球装置としての第３種始動装置を示す縦断面図である。
【図２】同じく第３種始動装置の入球口の球が回転体の球送り溝に受けられた状態を示す縦断面図である。
【図３】同じく回転体に球送り溝によって球が球誘導路の仕切り壁近傍まで移送された状態を示す側断面図である。
【図４】同じく回転体に球送り溝によって球が球誘導路を越える位置まで移送された状態を示す側断面図である。
【図５】同じく第３種始動装置の後構成部材と回転体との関係を後方から視た簡略斜視図である。
【図６】同じく権利発生装置、第３種始動装置、大入賞口装置が装着された第３種パチンコ機の遊技盤全体を示す正面図である。
【図７】同じく権利発生装置を示す正面図である。
【符号の説明】
１０　遊技盤
３０　権利発生装置（センタ役物装置）
６０　大入賞口装置
７０　第３種始動装置（入球装置）
７１　本体構成部材
８０　入球口
８１　球保留部
８２　両側壁部
１０５　放出口
１０６　球検出器
１１０　回転体
１１２　球送り溝
【図１】
2004135703.tif 000003
【図２】
2004135703.tif 000004
【図３】
2004135703.tif 000005
【図４】
2004135703.tif 000006
【図５】
2004135703.tif 000007
【図６】
2004135703.tif 000008
【図７】
2004135703.tif 000009